(57)【特許請求の範囲】
【請求項１】
所定の模様で構成される背景部を含む潜像画像を文書画像に付加して媒体上に印刷させる印刷命令を生成する印刷命令生成手段と、
前記印刷命令生成手段から前記印刷命令を取得し、前記潜像画像の前記背景部に対して当該印刷命令の中の所定の画像処理を施すとともに、当該印刷命令に縮小率の設定が含まれる場合に、当該背景部に対しての縮小処理を施さない背景部処理手段と、
前記印刷命令生成手段から前記印刷命令を取得し、前記潜像画像に文字部が含まれる場合に、当該文字部に対して当該印刷命令に応じた縮小処理を施す文字部処理手段と、
画像処理された前記背景部と前記文字部とからなる前記潜像画像を画像処理された前記文書画像に合成する合成手段と、
前記合成手段にて合成された前記文書画像と前記潜像画像とからなる画像を媒体上に形成する画像形成手段と
を備えた画像形成システム。
【請求項２】
前記背景部処理手段は、前記印刷命令が前記媒体の１ページに複数のページの前記文書画像を印刷させる命令を含む場合に、前記背景部に対しての縮小処理を施さず、かつ当該媒体に印刷される当該文書画像の向きに応じて当該背景部を回転させることを特徴とする請求項１記載の画像形成システム。
【請求項３】
前記文字部処理手段は、前記印刷命令生成手段がページ記述言語形式で記述された印刷命令に前記文書画像の１ページ毎に独立した印刷命令が付加される形式の前記印刷命令を生成した場合に、当該ページ記述言語形式で記述された印刷命令に優先して、当該１ページ毎に設定された印刷命令を実行することを特徴とする請求項１記載の画像形成システム。
【請求項４】
所定の模様で構成される背景部を含む潜像画像を文書画像に付加して媒体上に印刷させる印刷命令を生成する端末装置から当該印刷命令を取得する印刷命令取得手段と、
前記潜像画像の前記背景部に対して前記印刷命令取得手段にて取得した前記印刷命令の中の所定の画像処理を施すとともに、当該印刷命令に縮小率の設定が含まれる場合に、当該背景部に対しての縮小処理を施さない背景部処理手段と、
前記潜像画像に文字部が含まれる場合に、当該文字部に対して前記印刷命令取得手段にて取得した前記印刷命令に応じた縮小処理を施す文字部処理手段と、
前記文書画像に対して前記印刷命令取得手段にて取得した前記印刷命令に応じた画像処理を施す文書画像処理手段と、
画像処理された前記背景部と前記文字部とからなる前記潜像画像を画像処理された前記文書画像に合成する合成手段と、
前記合成手段にて合成された前記文書画像と前記潜像画像とからなる画像を媒体上に形成する画像形成手段と
を備えた画像形成装置。
【請求項５】
前記背景部処理手段は、前記印刷命令が前記媒体の１ページに複数のページの前記文書画像を印刷させる命令を含む場合に、前記背景部に対しての縮小処理を施さず、かつ当該媒体に印刷される当該文書画像の向きに応じて当該背景部を回転させることを特徴とする請求項４記載の画像形成装置。
【請求項６】
前記印刷命令取得手段にて取得された前記印刷命令における前記文書画像への付加の対象となる前記潜像画像を記憶する潜像画像記憶手段をさらに備え、
前記背景部処理手段は、前記潜像画像の前記背景部を前記潜像画像記憶手段から取得することを特徴とする請求項４記載の画像形成装置。
【請求項７】
前記印刷命令取得手段にて取得された前記印刷命令での前記文書画像への付加の対象となる前記背景部と前記文字部とからなる前記潜像画像を記憶する潜像画像記憶手段と、
前記潜像画像記憶手段に記憶された前記潜像画像を読み出し、当該潜像画像から前記背景部と前記文字部とを分離する分離手段をさらに備え、
前記背景部処理手段は、前記分離手段にて分離された前記背景部を取得し、前記文字部処理手段は、当該分離手段にて分離された前記文字部を取得することを特徴とする請求項４記載の画像形成装置。
【請求項８】
前記文字部処理手段および前記文書画像処理手段は、前記印刷命令取得手段にて取得された前記印刷命令がページ記述言語形式で記述された印刷命令に前記文書画像の１ページ毎に独立した印刷命令が付加される形式で記述されている場合に、当該ページ記述言語形式で記述された印刷命令に優先して、当該１ページ毎に設定された印刷命令を実行することを特徴とする請求項４記載の画像形成装置。
【請求項９】
所定の模様で構成される背景部を含む潜像画像を文書画像に付加して媒体上に印刷させる印刷命令を取得する印刷命令取得手段と、
前記印刷命令取得手段にて取得した前記印刷命令に含まれる前記潜像画像の前記背景部に対して所定の画像処理を施すとともに、当該印刷命令に縮小率の設定が含まれる場合に、当該背景部に対しての縮小処理を施さない背景部処理手段と、
前記印刷命令取得手段にて取得した前記印刷命令が前記文書画像に前記背景部と文字部とからなる前記潜像画像を付加させるものであった場合に、当該文字部に対して当該印刷命令に応じた縮小処理を施す文字部処理手段と、
画像処理された前記背景部と前記文字部とからなる前記潜像画像を画像処理された前記文書画像に合成する合成手段と
を備えた画像処理装置。
【請求項１０】
前記背景部処理手段は、前記印刷命令が前記媒体の１ページに複数のページの前記文書画像を印刷させる命令を含む場合に、前記背景部に対しての縮小処理を施さず、かつ当該媒体に印刷される当該文書画像の向きに応じて当該背景部を回転させることを特徴とする請求項９記載の画像処理装置。
【請求項１１】
前記背景部処理手段は、前記印刷命令取得手段にて取得された前記印刷命令での前記文書画像への付加の対象となる前記潜像画像を記憶する潜像画像記憶手段から前記潜像画像の前記背景部を取得することを特徴とする請求項９記載の画像処理装置。
【請求項１２】
コンピュータに、
所定の模様で構成される背景部を含む潜像画像を文書画像に付加して媒体上に印刷させる印刷命令を生成する端末装置から当該印刷命令を取得する機能と、
前記印刷命令に縮小率の設定が含まれる場合に、前記潜像画像の前記背景部に対して縮小処理以外の処理を施す機能と、
前記潜像画像に文字部が含まれる場合に、当該文字部に対して前記印刷命令に応じた縮小処理を施す機能と、
前記文書画像に対して前記印刷命令に応じた画像処理を施す機能と、
画像処理された前記背景部と前記文字部とからなる前記潜像画像を画像処理された前記文書画像に合成する機能と
を実現させるプログラム。
【請求項１３】
前記印刷命令が前記媒体の１ページに複数のページの前記文書画像を印刷させる命令を含む場合に、前記背景部に対しての縮小処理を施さず、かつ当該媒体に印刷される当該文書画像の向きに応じて当該背景部を回転させる機能を含むことを特徴とする請求項１２記載のプログラム。
【請求項１４】
前記背景部に対して画像処理を施す前記機能は、前記印刷命令に拡大縮小率の設定が含まれる場合に、当該印刷命令にて設定された当該拡大縮小率を等倍に変更する機能を含むことを特徴とする請求項１２記載のプログラム。
【請求項１５】
前記潜像画像の前記文字部に対して画像処理を施す前記機能と前記文書画像に対して画像処理を施す前記機能とは、前記印刷命令がページ記述言語形式で記述された印刷命令に前記文書画像の１ページ毎に独立した印刷命令が付加される形式で記述されている場合に、当該ページ記述言語形式で記述された印刷命令に優先して、当該１ページ毎に設定された印刷命令を実行する機能を含むことを特徴とする請求項１２記載のプログラム。
【発明の詳細な説明】
【技術分野】
【０００１】
本発明は、画像形成システム、画像形成装置、画像処理装置、およびプログラムに関する。
【背景技術】
【０００２】
近年、文書等の機密情報に対して情報漏洩への対策が強く求められている。
例えば特許文献１には、印刷された文書の不正複写を抑制するための技術として、複写を牽制する背景パターン(複写牽制画像)を画像処理によって文書画像に合成してプリント出力する技術が記載されている。
【０００３】
【特許文献１】特開２００５−９４３２７号公報
【発明の開示】
【発明が解決しようとする課題】
【０００４】
ここで一般に、文書画像が例えば縮小して印刷されると、複写を牽制する複写牽制画像も同様に縮小される。そのために複写牽制画像が判読できなくなり、複写牽制画像の有する不正複写を抑制する機能が充分に発揮されないことがあった。
本発明は、文書画像に対する印刷命令の内容に依らず、複写牽制画像の機能を損なうことが無いように印刷することを目的とする。
【課題を解決するための手段】
【０００５】
請求項１に記載の発明は、所定の模様で構成される背景部を含む潜像画像を文書画像に付加して媒体上に印刷させる印刷命令を生成する印刷命令生成手段と、前記印刷命令生成手段から前記印刷命令を取得し、前記潜像画像の前記背景部に対して当該印刷命令の中の所定の画像処理を施すとともに、当該印刷命令に縮小率の設定が含まれる場合に、当該背景部に対しての縮小処理を施さない背景部処理手段と、前記印刷命令生成手段から前記印刷命令を取得し、前記潜像画像に文字部が含まれる場合に、当該文字部に対して当該印刷命令に応じた縮小処理を施す文字部処理手段と、画像処理された前記背景部と前記文字部とからなる前記潜像画像を画像処理された前記文書画像に合成する合成手段と、前記合成手段にて合成された前記文書画像と前記潜像画像とからなる画像を媒体上に形成する画像形成手段とを備えた画像形成システムである。
【０００６】
請求項２に記載の発明は、前記背景部処理手段は、前記印刷命令が前記媒体の１ページに複数のページの前記文書画像を印刷させる命令を含む場合に、前記背景部に対しての縮小処理を施さず、かつ当該媒体に印刷される当該文書画像の向きに応じて当該背景部を回転させることを特徴とする請求項１記載の画像形成システムである。
請求項３に記載の発明は、前記文字部処理手段は、前記印刷命令生成手段がページ記述言語形式で記述された印刷命令に前記文書画像の１ページ毎に独立した印刷命令が付加される形式の前記印刷命令を生成した場合に、当該ページ記述言語形式で記述された印刷命令に優先して、当該１ページ毎に設定された印刷命令を実行することを特徴とする請求項１記載の画像形成システムである。
【０００７】
請求項４に記載の発明は、所定の模様で構成される背景部を含む潜像画像を文書画像に付加して媒体上に印刷させる印刷命令を生成する端末装置から当該印刷命令を取得する印刷命令取得手段と、前記潜像画像の前記背景部に対して前記印刷命令取得手段にて取得した前記印刷命令の中の所定の画像処理を施すとともに、当該印刷命令に縮小率の設定が含まれる場合に、当該背景部に対しての縮小処理を施さない背景部処理手段と、前記潜像画像に文字部が含まれる場合に、当該文字部に対して前記印刷命令取得手段にて取得した前記印刷命令に応じた縮小処理を施す文字部処理手段と、前記文書画像に対して前記印刷命令取得手段にて取得した前記印刷命令に応じた画像処理を施す文書画像処理手段と、画像処理された前記背景部と前記文字部とからなる前記潜像画像を画像処理された前記文書画像に合成する合成手段と、前記合成手段にて合成された前記文書画像と前記潜像画像とからなる画像を媒体上に形成する画像形成手段とを備えた画像形成装置である。
【０００８】
請求項５記載の発明は、前記背景部処理手段は、前記印刷命令が前記媒体の１ページに複数のページの前記文書画像を印刷させる命令を含む場合に、前記背景部に対しての縮小処理を施さず、かつ当該媒体に印刷される当該文書画像の向きに応じて当該背景部を回転させることを特徴とする請求項４記載の画像形成装置である。
請求項６に記載の発明は、前記印刷命令取得手段にて取得された前記印刷命令における前記文書画像への付加の対象となる前記潜像画像を記憶する潜像画像記憶手段をさらに備え、前記背景部処理手段は、前記潜像画像の前記背景部を前記潜像画像記憶手段から取得することを特徴とする請求項４記載の画像形成装置である。
請求項７に記載の発明は、前記印刷命令取得手段にて取得された前記印刷命令での前記文書画像への付加の対象となる前記背景部と前記文字部とからなる前記潜像画像を記憶する潜像画像記憶手段と、前記潜像画像記憶手段に記憶された前記潜像画像を読み出し、当該潜像画像から前記背景部と前記文字部とを分離する分離手段をさらに備え、前記背景部処理手段は、前記分離手段にて分離された前記背景部を取得し、前記文字部処理手段は、当該分離手段にて分離された前記文字部を取得することを特徴とする請求項４記載の画像形成装置である。
請求項８に記載の発明は、前記文字部処理手段および前記文書画像処理手段は、前記印刷命令取得手段にて取得された前記印刷命令がページ記述言語形式で記述された印刷命令に前記文書画像の１ページ毎に独立した印刷命令が付加される形式で記述されている場合に、当該ページ記述言語形式で記述された印刷命令に優先して、当該１ページ毎に設定された印刷命令を実行することを特徴とする請求項４記載の画像形成装置である。
【０００９】
請求項９に記載の発明は、所定の模様で構成される背景部を含む潜像画像を文書画像に付加して媒体上に印刷させる印刷命令を取得する印刷命令取得手段と、前記印刷命令取得手段にて取得した前記印刷命令に含まれる前記潜像画像の前記背景部に対して所定の画像処理を施すとともに、当該印刷命令に縮小率の設定が含まれる場合に、当該背景部に対しての縮小処理を施さない背景部処理手段と、前記印刷命令取得手段にて取得した前記印刷命令が前記文書画像に前記背景部と文字部とからなる前記潜像画像を付加させるものであった場合に、当該文字部に対して当該印刷命令に応じた縮小処理を施す文字部処理手段と、画像処理された前記背景部と前記文字部とからなる前記潜像画像を画像処理された前記文書画像に合成する合成手段とを備えた画像処理装置である。
【００１０】
請求項１０に記載の発明は、前記背景部処理手段は、前記印刷命令が前記媒体の１ページに複数のページの前記文書画像を印刷させる命令を含む場合に、前記背景部に対しての縮小処理を施さず、かつ当該媒体に印刷される当該文書画像の向きに応じて当該背景部を回転させることを特徴とする請求項９記載の画像処理装置である。
請求項１１に記載の発明は、前記背景部処理手段は、前記印刷命令取得手段にて取得された前記印刷命令での前記文書画像への付加の対象となる前記潜像画像を記憶する潜像画像記憶手段から前記潜像画像の前記背景部を取得することを特徴とする請求項９記載の画像処理装置である。
【００１１】
請求項１２に記載の発明は、コンピュータに、所定の模様で構成される背景部を含む潜像画像を文書画像に付加して媒体上に印刷させる印刷命令を生成する端末装置から当該印刷命令を取得する機能と、前記印刷命令に縮小率の設定が含まれる場合に、前記潜像画像の前記背景部に対して縮小処理以外の処理を施す機能と、前記潜像画像に文字部が含まれる場合に、当該文字部に対して前記印刷命令に応じた縮小処理を施す機能と、前記文書画像に対して前記印刷命令に応じた画像処理を施す機能と、画像処理された前記背景部と前記文字部とからなる前記潜像画像を画像処理された前記文書画像に合成する機能とを実現させることを特徴とするプログラムである。
【００１２】
請求項１３に記載の発明は、前記印刷命令が前記媒体の１ページに複数のページの前記文書画像を印刷させる命令を含む場合に、前記背景部に対しての縮小処理を施さず、かつ当該媒体に印刷される当該文書画像の向きに応じて当該背景部を回転させる機能を含むことを特徴とする請求項１２記載のプログラムである。
請求項１４に記載の発明は、前記背景部に対して画像処理を施す前記機能は、前記印刷命令に拡大縮小率の設定が含まれる場合に、当該印刷命令にて設定された当該拡大縮小率を等倍に変更する機能を含むことを特徴とする請求項１２記載のプログラムである。
請求項１５に記載の発明は、前記潜像画像の前記文字部に対して画像処理を施す前記機能と前記文書画像に対して画像処理を施す前記機能とは、前記印刷命令がページ記述言語形式で記述された印刷命令に前記文書画像の１ページ毎に独立した印刷命令が付加される形式で記述されている場合に、当該ページ記述言語形式で記述された印刷命令に優先して、当該１ページ毎に設定された印刷命令を実行する機能を含むことを特徴とする請求項１２記載のプログラムである。
【発明の効果】
【００１４】
本発明の請求項１によれば、本発明を採用しない場合に比べて、文書画像に対する印刷命令の内容に依らず、複写牽制画像の機能を損なうことが無いように印刷することができる。また、本発明の請求項１によれば、背景部を構成する模様の大きさは一定に維持され、文字部については印刷命令に応じた画像処理が施されるので、本発明を採用しない場合に比べて、印刷命令の内容の如何に拘わらず背景部における複写牽制画像の機能を損なうことが無いように印刷することができる。
本発明の請求項２によれば、文書の複数ページを媒体の１ページに割り付ける印刷設定が印刷命令に含まれる場合にも、背景部の媒体上での向きを文書画像の媒体上での向きと一致させることができる。
本発明の請求項３によれば、文書画像の内容等に対応させて文字部の印刷表現の自由度が高まるので、本発明を採用しない場合に比べて、複写を牽制する機能を充分に発揮させるような形式で文字部を媒体上に印刷することができる。
【００１５】
本発明の請求項４によれば、本発明を採用しない場合に比べて、文書画像に対する印刷命令の内容に依らず、複写牽制画像の機能を損なうことが無いように印刷することができる。また、本発明の請求項４によれば、背景部を構成する模様の大きさは一定に維持され、文字部については印刷命令に応じた画像処理が施されるので、本発明を採用しない場合に比べて、印刷命令の内容の如何に拘わらず背景部における複写牽制画像の機能を損なうことが無いように印刷することができる。
本発明の請求項５によれば、文書の複数ページを媒体の１ページに割り付ける印刷設定が印刷命令に含まれる場合にも、背景部の媒体上での向きを文書画像の媒体上での向きと一致させることができる。
本発明の請求項６によれば、潜像画像を文書画像に付加する処理を画像形成装置内だけで行うことができ、端末装置に特別な構成を設ける必要がなくなる。
本発明の請求項７によれば、背景部と文字部とに対してそれぞれ独立した画像処理を行うことができる。
本発明の請求項８によれば、文書画像の内容等に対応させて文字部の印刷表現の自由度が高まるので、本発明を採用しない場合に比べて、複写を牽制する機能を充分に発揮させるような形式で文字部を媒体上に印刷することができる。
【００１６】
本発明の請求項９によれば、本発明を採用しない場合に比べて、文書画像に対する印刷命令の内容に依らず、複写牽制画像の機能を損なうことが無いように印刷することができる。また、本発明の請求項９によれば、背景部を構成する模様の大きさは一定に維持され、文字部については印刷命令に応じた画像処理が施されるので、本発明を採用しない場合に比べて、印刷命令の内容の如何に拘わらず背景部における複写牽制画像の機能を損なうことが無いように印刷することができる。
本発明の請求項１０によれば、文書の複数ページを媒体の１ページに割り付ける印刷設定が印刷命令に含まれる場合にも、背景部の媒体上での向きを文書画像の媒体上での向きと一致させることができる。
本発明の請求項１１によれば、潜像画像を文書画像に付加する処理を画像形成装置内だけで行うことができ、端末装置に特別な構成を設ける必要がなくなる。
【００１７】
本発明の請求項１２によれば、本発明を採用しない場合に比べて、文書画像に対する印刷命令の内容に依らず、複写牽制画像の機能を損なうことが無いように印刷することができる。また、本発明の請求項１２によれば、背景部を構成する模様の大きさは一定に維持され、文字部については印刷命令に応じた画像処理が施されるので、本発明を採用しない場合に比べて、印刷命令の内容の如何に拘わらず背景部における複写牽制画像の機能を損なうことが無いように印刷することができる。
本発明の請求項１３によれば、文書の複数ページを媒体の１ページに割り付ける印刷設定が印刷命令に含まれる場合にも、背景部の媒体上での向きを文書画像の媒体上での向きと一致させることができる。
本発明の請求項１４によれば、印刷命令に拡大縮小率の設定が含まれる場合にも、本発明を採用しない場合に比べて、背景部を構成する模様の大きさを一定に維持することができる。
本発明の請求項１５によれば、文書画像の内容等に対応させて文字部の印刷表現の自由度が高まるので、本発明を採用しない場合に比べて、複写を牽制する機能を充分に発揮させるような形式で文字部を媒体上に印刷することができる。
【発明を実施するための最良の形態】
【００１８】
以下、添付図面を参照して、本発明の実施の形態について詳細に説明する。
[実施の形態１]
図１は、本実施の形態が適用される画像形成システム１の全体構成を示す図である。図１に示す画像形成システム１は、ユーザから文書等の印刷指示を受け付けて、これを印刷ジョブとして出力する印刷命令生成手段の一例としての端末装置１０と、端末装置１０からの印刷ジョブを取得して媒体である用紙に印刷を行う画像形成装置の一例としての画像形成装置２０とが接続されて構成されている。
【００１９】
端末装置１０は、端末装置１０全体の動作を制御する制御部１１、所定のアプリケーションソフトに従って文書データを生成する文書データ生成部１２、文書データやプログラム等が記憶される記憶部１３、文書データ生成部１２にて生成された文書データや記憶部１３に記憶された文書データから画像形成装置２０に対する印刷命令(コマンド)である印刷ジョブを生成するプリンタドライバ１４、ユーザからの指示入力を受け付けるユーザインタフェース部１５、プリンタドライバ１４にて生成された印刷ジョブを画像形成装置２０に送信する通信部１６を備えている。ここで、端末装置１０としては、例えばパーソナルコンピュータ(ＰＣ)が用いられる。
【００２０】
ここで、端末装置１０の上記した機能部は、ソフトウェアとハードウェア資源とが協働することにより実現される。具体的には、端末装置１０の図示しないＣＰＵが、所定のプログラムを記憶部１３から主記憶装置(例えばＲＡＭ)に読み込み、制御部１１、文書データ生成部１２、プリンタドライバ１４の各機能を実現する処理を行う。
なお、本明細書にて用いる「文書」の文言は、テキストの他に、例えば、写真、図形等の画像をも含むものである。
【００２１】
端末装置１０においては、制御部１１は、ユーザインタフェース部１５にて受け付けたユーザからの指示入力に基づき、文書データの論理ページ単位や物理ページ単位での印刷設定をプリンタドライバ１４に対して指示する。それにより、プリンタドライバ１４では、拡大縮小率の設定、Ｎアップ(複数Ｎのページを用紙の１ページに割り付ける印刷)の指定、余白領域の大きさの設定や、印刷に使用される用紙のサイズ/紙種の設定等の印刷設定が論理ページ単位または物理ページ単位で行われた印刷ジョブを生成する。
ここで、「論理ページ」とは、文書データ上でのページをいう。これに対して、「物理ページ」とは、画像形成装置２０において実際に用紙に印刷される際の用紙上でのページをいう。したがって、Ｎアップでは、物理ページの１ページに複数の論理ページが割り付けられて印刷されることとなる。
【００２２】
また、端末装置１０では、文書の不正複写を抑制するために、複写を牽制する背景パターン(複写牽制画像)を文書データに合成した印刷ジョブを生成する機能を有する。
図２は、プリンタドライバ１４に備えられた複写牽制画像を文書データに合成する機能部を説明する図である。図２に示したように、プリンタドライバ１４は、複写牽制画像(潜像画像)の中の背景部(背景模様)を構成する模様潜像データを生成する模様潜像生成部１４１、複写牽制画像の中の例えば「禁複写」といた文字部(文字輪郭)を構成する文字潜像データを生成する文字潜像生成部１４２、文書データ生成部１２にて生成された文書データや記憶部１３に記憶された文書データに、模様潜像形成部１４１にて生成された模様潜像データおよび文字潜像生成部１４２にて生成された文字潜像データを合成する合成部１４３、合成部１４３にて合成された文書データと模様潜像データおよび文字潜像データとに関する印刷命令(コマンド)である印刷ジョブを生成する印刷ジョブ生成部１４４を備えている。
【００２３】
ここで、模様潜像データおよび文字潜像データに設定されるコマンドの内容は、文書データに設定されるコマンドの内容に従ったものである。すなわち、プリンタドライバ１４は、通常、模様潜像データに関するコマンドや文字潜像データに関するコマンドの内容を、文書データに関するコマンドの内容と一致させて設定する。さらに、模様潜像データに関するコマンドや文字潜像データに関するコマンドの内容を、文書データに関するコマンドの内容とは独立した異なるものとして設定してもよい。
【００２４】
そして、プリンタドライバ１４では、ユーザインタフェース部１５にてユーザからの指示入力があった場合または自動設定が行われている場合に、制御部１１からの制御に基づいて、合成部１４３が文書データに模様潜像データおよび文字潜像データを合成する。それにより、印刷ジョブ生成部１４４は、文書データと模様潜像データおよび文字潜像データとに関する印刷ジョブを生成し、通信部１６を介して画像形成装置２０に送信する。
【００２５】
次に、図３は、本実施の形態の画像形成システム１に適用される画像形成装置２０の構成の一例を示したブロック図である。図３に示した画像形成装置２０は、例えばデジタルカラープリンタであって、端末装置１０から送信された印刷ジョブを受信する印刷命令取得手段の一例として通信部２１、通信部２１にて受信した端末装置１０からの印刷ジョブを処理する印刷ジョブ処理部２２、画像形成装置２０全体の動作を制御する制御部２３、印刷ジョブ処理部２２での処理プログラムや制御部２３での制御プログラム等が記憶される記憶部２４、各色成分の印刷データに対応して画像形成を行う画像形成手段の一例としての画像形成部２５を備えている。ここで、画像形成部２５としては、例えば電子写真方式やインクジェット方式等のプリンタエンジンが用いられる。ここで、通信部２１と印刷ジョブ処理部２２、さらには必要に応じて他の機能部が画像処理装置を構成する。
【００２６】
続いて、本実施の形態の画像形成装置２０での印刷ジョブの処理について説明する。
図３に示したように、画像形成装置２０の印刷ジョブ処理部２２は、端末装置１０から取得した印刷ジョブを解析する印刷ジョブ解析部２２１、印刷ジョブ解析部２２１にて解析された印刷ジョブから、文書データに関するコマンドと模様潜像データに関するコマンドと文字潜像データに関するコマンドとに分離するコマンド分離部２２２を備える。
また、印刷ジョブ処理部２２は、コマンド分離部２２２から取得した文書データに関するコマンドに対して、コマンド内容に応じた画像処理を施す文書画像処理手段の一例としての第１コマンド処理部２２４、コマンド分離部２２２から取得した模様潜像データに関するコマンドに対して、コマンド内容の中で所定の制限範囲内での画像処理を施す背景部処理手段の一例としての第２コマンド処理部２２５、コマンド分離部２２２から取得した文字潜像データに関するコマンドに対して、コマンド内容に応じた画像処理を施す文字部処理手段の一例としての第３コマンド処理部２２６を備える。
さらには、第１コマンド処理部２２４にて画像処理された文書データと、第２コマンド処理部２２５にて画像処理された模様潜像データと、第３コマンド処理部２２６にて画像処理された文字潜像データとを合成する合成手段の一例としてのデータ合成部２２７を備える。
【００２７】
印刷ジョブ解析部２２１は、端末装置１０から送信された印刷ジョブを通信部２１から取得して、取得した印刷ジョブについて、例えばＰＤＬ(Page Description Language：ページ記述言語)形式や、ＰＤＬ形式に論理ページ毎や物理ページ毎に異なるコマンドが独立して付加された形式等で記述されたコマンドを解析する。そして、文書データ、模様潜像データ、および文字潜像データに関する例えば論理ページの１ページ分毎の中間データに変換する。１ページ分毎の中間データに変換された文書データ、模様潜像データ、および文字潜像データに関するコマンドは、コマンド分離部２２２に送られる。
コマンド分離部２２２は、印刷ジョブ解析部２２１から送られた文書データ、模様潜像データ、および文字潜像データに関するコマンドをそれぞれ分離する。そして、文書データに関するコマンドを第１コマンド処理部２２４に送る。また、模様潜像データに関するコマンドを第２コマンド処理部２２５に送る。さらに、文字潜像データに関するコマンドを第３コマンド処理部２２６に送る。
【００２８】
第１コマンド処理部２２４は、コマンド分離部２２２から文書データに関するコマンドを取得し、取得した文書データに関するコマンドに応じた画像処理を行う。すなわち、取得した文書データに対するレンダリング処理や色変換処理、スクリーン処理等の画像処理を行う。また、例えば印刷ジョブにて論理ページ単位や物理ページ単位でコマンドが付加されている場合には、ＰＤＬ形式でのコマンドに優先させて、論理ページ毎や物理ページ毎に指示された拡大縮小率の設定、Ｎアップの設定、余白領域の大きさの設定等に応じた画像処理を行う。
【００２９】
第２コマンド処理部２２５は、コマンド分離部２２２から模様潜像データに関するコマンドを取得する。そして、模様潜像データに対する画像処理を行う。すなわち、取得した模様潜像データに対するレンダリング処理や色変換処理、スクリーン処理等の画像処理を行う。その際に、第２コマンド処理部２２５は、模様潜像データに関するコマンドの中の印刷設定についての内容に関しては、所定の制限範囲内に限定した画像処理を行う。すなわち、第２コマンド処理部２２５は、画像の向きに対応させて画像を回転させる画像処理は行うが、拡大縮小は行わない。
第２コマンド処理部２２５にて画像処理の対象となる模様潜像データは、文書の不正複写を抑制するためのものであって、用紙上に形成する複写を牽制する背景パターン(複写牽制画像)の中において地模様を構成する。そのため、これが縮小や拡大されると、地模様であるか否かが明確に判読できなくなり、複写牽制画像の有する複写を牽制する機能が充分に発揮しない場合がある。そこで、模様潜像データに対する画像処理を行う第２コマンド処理部２２５では、コマンドに拡大縮小率やＮアップの設定が含まれる場合においても、拡大縮小は行わない。つまり、拡大縮小率の設定が含まれる場合には、設定された拡大縮小率を１００％に強制的に変更してもよい。また、Ｎアップの設定が含まれる場合には、Ｎアップの設定に応じた拡大縮小は行わず、Ｎアップの設定に応じて必要となる回転処理だけを行う。それにより、模様潜像を構成する地模様は常に一定の大きさが維持される。
【００３０】
図４は、複写牽制画像の背景部に形成する模様潜像を比較する図であって、(ａ)が本来の模様潜像(拡大縮小率１００％)を示したものであり、(ｂ)が模様潜像を縮小したものを示している。図４(ａ)に示したように、本来の模様潜像では、特殊な地模様が意図的に形成されたことが把握できる。これに対して、図４(ｂ)に示したように、模様潜像が縮小されて形成されると、それが意図的に形成されたものであるか否かが不明確となる。また、模様潜像の濃度によっては単にグレーの背面画像が形成されているだけであるようにも把握される。そのため、複写を牽制する機能が充分に働き難い。また、模様潜像が拡大された場合にも同様であり、特に、文書が拡大されると文書自体が読み難くなるという不都合も生じる。そこで、第２コマンド処理部２２５では、画像の向きに対応させて画像の回転は行うが、拡大縮小は行わない。
【００３１】
第３コマンド処理部２２６は、コマンド分離部２２２から文字潜像データに関するコマンドを取得する。そして、文字潜像データに関するコマンド内容に応じた文字潜像データに対する画像処理を行う。すなわち、取得した文字潜像データに対するレンダリング処理や色変換処理、スクリーン処理等の画像処理を行う。その際に、第３コマンド処理部２２６においては、第２コマンド処理部２２５でのような制限を設けず、コマンドに設定された内容での画像処理を行う。
第３コマンド処理部２２６にて画像処理の対象となる文字潜像データは、複写を牽制する「禁複写」等の文字を構成するものである。そのため、「禁複写」等の文字が縮小や拡大されることで、これが明確に判読できなくなるという事態は生じ難い。むしろ、拡大縮小率の設定に応じた縮小や拡大が行われず、また、Ｎアップの設定に応じた拡大縮小が行われないことの方が、文書画像に対する相対的な大きさが変動することによって、文書の内容把握を阻害する場合もある。そこで、第３コマンド処理部２２６では、コマンドに設定された内容での画像処理を行う。
すなわち、第３コマンド処理部２２６では、文字潜像データに関するコマンドが例えばＰＤＬ形式で記述されている場合には、ＰＤＬ形式に従って画像処理を行う。また、例えば論理ページ毎や物理ページ毎に独立して異なるコマンドが独立して付加された形式で記述されている場合には、ＰＤＬ形式でのコマンドに優先させて、論理ページ単位や物理ページ単位でのコマンドに従った画像処理を行う。
【００３２】
以下に、第２コマンド処理部２２５にて画像処理された模様潜像データと、第３コマンド処理部２２６にて画像処理された文字潜像データとにより形成された潜像画像の具体例について述べる。ここでは、理解の容易のため、第１コマンド処理部２２４にて画像処理された文書データに基づく文書画像の記載は省略する。
まず、図５は、論理ページの２ページを用紙の１ページに割り付ける２アップ印刷を行う場合の潜像画像の一例を示した図である。図５(ａ)は潜像画像の原型を示し、(ｂ)はＰＤＬ形式に従って２アップ印刷を行う場合の潜像画像を示し、(ｃ)は論理ページ毎に異なるコマンドが独立して付加された形式が設定された場合に、付加されたコマンドをＰＤＬ形式に優先させて２アップ印刷を行う場合の潜像画像を示している。
【００３３】
上記したように、第２コマンド処理部２２５では、画像の向きに対応させて画像の回転は行うが、拡大縮小は行わない。そのため、図５(ｂ),(ｃ)に示したように、潜像画像の模様潜像については２アップ印刷に対応させて９０°の回転処理だけを行っている。それにより、模様潜像の方向を文字潜像や文書画像(不図示)の方向に一致させている。
その場合に、第３コマンド処理部２２６は、文字潜像データに関するコマンドに設定された画像処理を行う。それにより、図５(ｂ)に示したＰＤＬ形式に従って２アップ印刷を行う場合には、文字潜像は２アップ印刷に対応させて面積率に換算した５０％の縮小が行われる。
一方、図５(ｃ)に示した論理ページ毎に異なるコマンドが独立して付加された形式で２アップ印刷を行う場合には、付加されたコマンドをＰＤＬ形式よりも優先させた処理を行う。例えば左側ページでは、文字潜像は２アップ印刷に対応させた面積換算５０％の縮小に加えて、平行移動の処理が行われる。また、例えば右側ページでは、文字潜像は２アップ印刷に対応させた面積換算５０％の縮小に加えて、例えば３０°の回転処理が行われる。
【００３４】
次の図６は、論理ページの４ページを用紙の１ページに割り付ける４アップ印刷を行う場合の潜像画像の一例を示した図である。図６(ａ)は潜像画像の原型を示し、(ｂ)はＰＤＬ形式に従って４アップ印刷を行う場合の潜像画像を示し、(ｃ)は各論理ページ毎に異なるコマンドが独立して付加された形式が設定された場合に、付加されたコマンドをＰＤＬ形式に優先させて４アップ印刷を行う場合の潜像画像を示している。
【００３５】
一般の４アップ印刷では、画像の回転処理は必要がない。そのため、図６(ｂ),(ｃ)に示したように、第２コマンド処理部２２５は、潜像画像の模様潜像に対する回転処理も行わず、原型の潜像画像をそのまま出力する。それにより、模様潜像の方向を文字潜像や文書画像(不図示)の方向に一致させている。
その場合に、第３コマンド処理部２２６は、文字潜像データに関するコマンドに設定された画像処理を行う。それにより、図６(ｂ)に示したＰＤＬ形式に従って４アップ印刷を行う場合には、文字潜像は４アップ印刷に対応させて面積率に換算した２５％の縮小が行われる。
一方、図６(ｃ)に示した論理ページ毎に異なるコマンドが独立して付加された形式で４アップ印刷を行う場合には、付加されたコマンドをＰＤＬ形式よりも優先させた処理を行う。例えば左上側ページは特別に付加されたコマンドがない場合である。この場合の左上側ページには、図６(ｂ)の左上側ページと同様に、ＰＤＬ形式に従った処理(面積換算２５％の縮小処理)が行われる。
また、右上側ページは、文字潜像を印刷しないというコマンドが付加された場合である。この場合の右上側ページには、模様潜像だけが印刷される。左下側ページは、文字潜像を４アップ印刷に対応させた面積換算２５％の縮小よりも大きく印刷させる例えば面積換算７０％の縮小率が付加された場合である。この場合の左下側ページには、文字潜像に対して面積換算７０％の縮小処理が行われる。さらに、右下側ページは、文字潜像を４アップ印刷に対応させた面積換算２５％の縮小よりも大きく印刷させる例えば面積換算７０％の縮小率に加えて、平行移動処理と回転処理とが付加された場合である。この場合の右下側ページには、文字潜像に対して面積換算７０％の縮小処理と、例えば下方への平行移動処理と例えば３０°の回転処理とが行われる。
【００３６】
上記した図５や図６では、文字潜像に対して各論理ページ毎に異なるコマンドが付加された形式を優先して画像処理を行う場合について述べた。しかし、このようなコマンド設定に限らず、文字潜像に対して物理ページ毎に異なるコマンドが独立して付加された形式を優先して画像処理を行ってもよい。
次の図７は、文字潜像に対して物理ページ毎に異なるコマンドが設定される場合の潜像画像の一例を示した図である。図７(ａ)は潜像画像の原型を示し、(ｂ)は２アップ印刷を行う場合の潜像画像を示し、(ｃ)は４アップ印刷を行う場合の潜像画像を示している。
【００３７】
この場合には、第３コマンド処理部２２５では、文字潜像に対して物理ページ毎に異なるコマンドが独立して付加された形式を優先して、文字潜像に対する拡大縮小、平行移動、回転の各処理を行う。図７(ｂ)に示したように、第３コマンド処理部２２５は、例えば、２アップ処理が行われた物理ページについて設定された拡大および平行移動の各処理を行う。それにより、論理ページの２ページに跨った物理ページの中央部に、文字潜像が印刷される。また、図７(ｃ)に示したように、第３コマンド処理部２２５は、例えば、４アップ処理が行われた物理ページについて設定された縮小、平行移動および回転の各処理を行う。それにより、左上側および右上側では各論理ページに対応して縮小および平行移動された文字潜像が印刷され、左下側および右下側では両論理ページに跨った平行移動および回転処理された文字潜像が印刷される。
【００３８】
なお、この場合にも、第２コマンド処理部２２５では、模様潜像についての画像の向きに対応させた画像の回転は行うが、拡大縮小は行わない。そのため、２アップ印刷の場合には、図７(ｂ)に示したように、模様潜像について９０°の回転処理だけを行っている。また、４アップ印刷の場合には、図７(ｃ)に示したように、模様潜像に対する回転処理も行わず、原型の潜像画像をそのまま出力する。それにより、模様潜像の方向を文字潜像や文書画像(不図示)の方向と一致させている。
【００３９】
次に、第２コマンド処理部２２５にて行われる模様潜像データに関するコマンドに対する処理の手順を説明する。図８は、第２コマンド処理部２２５での模様潜像データに関するコマンドに対する処理の手順の一例を示したフローチャートである。
図８に示したように、第２コマンド処理部２２５は、まず、コマンド分離部２２２から模様潜像データに関するコマンドを取得する(ステップ１０１)。次に、模様潜像データに関するコマンドの内容に拡大縮小率の設定があるかないかを判定する(ステップ１０２)。そして、コマンド内容に拡大縮小率の設定がある場合には、拡大縮小率を１００％(等倍)に強制的に変更する(ステップ１０３)。
続いて、模様潜像データに関するコマンドの内容に例えば２アップ、６アップ、または８アップ等の設定があるかないかを判定する(ステップ１０４)。これら２アップ、６アップ、または８アップ等の画像処理は、用紙を９０°回転させた位置で使用するものである。そのため、２アップ、６アップ、または８アップ等の設定がある場合には、模様潜像データについて９０°の回転処理を行う(ステップ１０５)。
一方、Ｎアップの設定がないか、または、２アップ、６アップ、または８アップ等の設定以外のＮアップの設定、例えば４アップ、１０アップ、１２アップ等の設定があった場合には、何れの処理も行わない(ステップ１０６)。４アップ、１０アップ、１２アップ等の画像処理は、用紙を９０°回転させずそのままの位置で使用するものだからである。
このように、Ｎアップの種類に応じて用紙を縦向きで使用するか横向きで使用するかが異なるため、９０°の回転処理を行うか否かの判定は異なるものとなる。
そして、その後、模様潜像データをデータ合成部２２７に送る(ステップ１０７)。
【００４０】
次に、第３コマンド処理部２２６にて行われる文字潜像データに関するコマンドに対する処理の手順を説明する。図９は、第３コマンド処理部２２６での文字潜像データに関するコマンドに対する処理の手順の一例を示したフローチャートである。
図９に示したように、第３コマンド処理部２２６は、まず、コマンド分離部２２２から文字潜像データに関するコマンドを取得する(ステップ２０１)。次に、文字潜像データに関するコマンドが論理ページ毎に異なるコマンドが独立して付加された形式で記述されたものであるかないかを判定する(ステップ２０２)。論理ページ毎に異なるコマンドが独立して付加された形式で記述されたものである場合には、付加されたコマンドをＰＤＬ形式に優先して画像処理を行う(ステップ２０３)。その後、ＰＤＬ形式に従って画像処理を行う(ステップ２０４)。
【００４１】
また、論理ページ毎に異なるコマンドが独立して付加された形式で記述されたものでない場合には、文字潜像データに関するコマンドが物理ページ毎に異なるコマンドが独立して付加された形式で記述されたものであるかないかを判定する(ステップ２０５)。物理ページ毎に異なるコマンドが独立して付加された形式で記述されたものである場合には、付加されたコマンドをＰＤＬ形式に優先して画像処理を行う(ステップ２０６)。その後、ＰＤＬ形式に従って画像処理を行う(ステップ２０４)。
一方、論理ページ毎に異なるコマンドが独立して付加された形式で記述されたものでも、物理ページ毎に異なるコマンドが独立して付加された形式で記述されたものでもない場合には、ＰＤＬ形式に従って画像処理を行う(ステップ２０４)。
そして、その後、画像処理された文字潜像データをデータ合成部２２７に送る(ステップ１０７)。
【００４２】
次に、図１０は、画像形成装置２０の印刷ジョブ処理部２２のハードウェア構成を示した図である。
図１０に示したように、印刷ジョブ処理部２２は、印刷ジョブ処理を行うに際して予め定められたプログラムに従ってデジタル演算処理を実行するＣＰＵ１０１、ＣＰＵ１０１により実行されるプログラム等が格納されるＲＡＭ１０２、ＣＰＵ１０１により実行されるプログラム等にて用いられる設定値等のデータが格納されるＲＯＭ１０３、書き換え可能で電源供給が途絶えた場合にもデータを保持できるＥＥＰＲＯＭやフラッシュメモリ等の不揮発性メモリ１０４、印刷ジョブ処理部２２に接続される各部との信号の入出力を制御するインターフェース部１０５を備えている。
また、記憶部２４には、印刷ジョブ処理部２２により実行されるプログラムが格納されており、印刷ジョブ処理部２２がこのプログラムを読み込むことによって、印刷ジョブ処理部２２での印刷ジョブ処理が実行される。
【００４３】
すなわち、上記した印刷ジョブ解析部２２１、コマンド分離部２２２、第１コマンド処理部２２４、第２コマンド処理部２２５、第３コマンド処理部２２６、およびデータ合成部２２７の各機能を実現するプログラムを記憶部２４から印刷ジョブ処理部２２内のＲＡＭ１０２に読み込む。そして、ＲＡＭ１０２に読み込まれたプログラムに基づいて、ＣＰＵ１０１が印刷ジョブ処理を行う。このプログラムの提供形態としては、ハードディスクやＤＶＤ−ＲＯＭ等で実現される記憶部２４からダウンロードされる形態の他、通信回線を介してＲＡＭ１０２にロードされて提供される形態がある。また、その他の提供形態として、予めＲＯＭ１０３にインストールされた状態にて提供される形態がある。さらに、印刷ジョブ処理部２２がアッセンブリされた後に、プログラムが不揮発性メモリ１０４にインストールされ、不揮発性メモリ１０４からＲＡＭ１０２にロードされる形態がある。また、インターネット等のネットワークを介して印刷ジョブ処理部２２にプログラムが伝送され、ＲＡＭ１０２にインストールされる形態がある。
【００４４】
以上説明したように、本実施の形態の画像形成システム１では、画像形成装置２０が端末装置１０から複写を牽制する複写牽制画像が文書データに合成された印刷ジョブを取得した場合には、画像形成装置２０の第２コマンド処理部２２５は、複写牽制画像の中の模様潜像データに関するコマンドに関して、所定の制限範囲内に限定した画像処理を行う。すなわち、第２コマンド処理部２２５は、画像の向きに対応させて画像を回転させる画像処理は行うが、拡大縮小は行わない。それにより、模様潜像を構成する地模様は常に一定の大きさが維持されるため、模様潜像が明確に判読され、複写牽制画像の有する複写牽制機能を充分に発揮させることとなる。
また、画像形成装置２０の第３コマンド処理部２２６は、文字潜像データに関するコマンドに従った画像処理を行う。その場合に、文字潜像データに関するコマンドが論理ページ毎または物理ページ毎に異なるコマンドが独立して付加された形式で記述されている場合には、ＰＤＬ形式でのコマンドに優先させて、論理ページ単位または物理ページ単位でのコマンドに従った画像処理を行う。それにより、論理ページ内または物理ページ内での文書内容等に対応させて、複写牽制機能を充分に働かせるような形式で文字潜像が印刷される。
【００４５】
[実施の形態２]
実施の形態１では、端末装置１０にて文書データに複写を牽制する複写牽制画像が合成された印刷ジョブを生成し、画像形成装置２０が複写牽制画像に含まれる模様潜像データと文字潜像データとに対して異なる画像処理を行う構成について説明した。本実施の形態では、端末装置１０にて文書データに複写牽制画像を合成する指示を含む印刷ジョブを生成し、画像形成装置２０が端末装置１０からの複写牽制画像を合成する指示に従って、画像形成装置２０に記憶された模様潜像データと文字潜像データとに対して異なる画像処理を行う構成について説明する。なお、実施の形態１と同様な構成については同様な符号を用い、ここではその詳細な説明を省略する。
【００４６】
図１１は、端末装置１０のプリンタドライバ１４に備えられた複写牽制画像についての文書データへの合成を指示する機能部を説明する図である。図１１に示したように、端末装置１０のプリンタドライバ１４は、制御部１１からの制御に基づいて文書データへの複写牽制画像の合成指示命令を生成する潜像画像合成指示部１４５、文書データに関する印刷命令(コマンド)と文書データへの複写牽制画像の合成指示命令とからなる印刷ジョブを生成する印刷ジョブ生成部１４４を備えている。
そして、プリンタドライバ１４では、ユーザインタフェース部１５(図１参照)にてユーザからの指示入力があった場合または自動設定が行われている場合に、制御部１１からの制御に基づき、潜像画像合成指示部１４５は、複写牽制画像を構成する模様潜像および文字潜像からなる潜像画像を文書に合成して印刷するように指示する合成指示命令を生成する。それにより、印刷ジョブ生成部１４４は、文書データに関する印刷命令(コマンド)に合成指示命令を付加した印刷ジョブを生成し、通信部１６を介して画像形成装置２０に送信する。
【００４７】
次の図１２は、本実施の形態の画像形成装置２０の構成の一例を示したブロック図である。図１２に示した画像形成装置２０では、印刷ジョブ処理部２２内に、複写牽制画像を構成する模様潜像および文字潜像からなる潜像画像データを記憶する潜像画像記憶手段の一例としてのコマンド記憶部２２８を備えている。また、コマンド記憶部２２８から潜像画像データを取得するコマンド取得部２２３を備えている。
印刷ジョブ解析部２２１は端末装置１０から取得した印刷ジョブに記述された印刷命令(コマンド)を解析する。そして、印刷ジョブ解析部２２１での解析の結果から、印刷ジョブの中に文書データへの複写牽制画像の合成指示命令が含まれる場合に、コマンド取得部２２３は、コマンド記憶部２２８から潜像画像データを取得する。さらに、コマンド取得部２２３は、読み出した潜像画像データを模様潜像データと文字潜像データとに分離する。分離された模様潜像データは第２コマンド処理部２２５に送られる。また、分離された文字潜像データは第３コマンド処理部２２６に送られる。したがって、コマンド取得部２２３は、分離手段の一例として機能する。
そして、第２コマンド処理部２２５および第３コマンド処理部２２６では、実施の形態１と同様にして、それぞれ模様潜像データおよび文字潜像データに対する画像処理が行われる。その場合に、模様潜像データおよび文字潜像データに設定されたコマンドの内容は、印刷ジョブ解析部２２１から第２コマンド処理部２２５および第３コマンド処理部２２６に送られる。
【００４８】
このように、本実施の形態の画像形成装置２０では、印刷ジョブ処理部２２内のコマンド記憶部２２８に、複写牽制画像を構成する模様潜像および文字潜像からなる潜像画像データを記憶しておく。そして、端末装置１０からの文書に対する複写牽制画像の合成指示命令があった場合には、潜像画像データを読み出し、文書データに付加する。その際に、潜像画像データの中の模様潜像データに対しては、所定の制限範囲内に限定した画像処理を行う。すなわち、第２コマンド処理部２２５は、画像の向きに対応させて画像を回転させる画像処理は行うが、拡大縮小は行わない。それにより、模様潜像を構成する地模様は常に一定の大きさが維持されるため、模様潜像が明確に判読され、複写牽制画像の有する複写牽制機能を充分に発揮させることとなる。
また、画像形成装置２０の第３コマンド処理部２２６は、潜像画像データの中の文字潜像データに関しては、印刷ジョブ解析部２２１にて解析されたコマンドに従った画像処理を行う。その場合に、文字潜像データに関するコマンドが論理ページ毎または物理ページ毎に異なるコマンドが独立して付加された形式で記述されている場合には、ＰＤＬ形式でのコマンドに優先させて、論理ページ単位または物理ページ単位でのコマンドに従った画像処理を行う。それにより、論理ページ内または物理ページ内での文書内容等に対応させて、複写牽制機能を充分に働かせるような形式で文字潜像が印刷される。
【図面の簡単な説明】
【００４９】
【図１】本実施の形態が適用される画像形成システムの全体構成を示す図である。
【図２】プリンタドライバに備えられた複写牽制画像を文書データに合成する機能部を説明する図である。
【図３】画像形成装置の構成の一例を示したブロック図である。
【図４】複写牽制画像の背景部に形成する模様潜像を比較する図である。
【図５】論理ページの２ページを用紙の１ページに割り付ける２アップ印刷を行う場合の潜像画像の一例を示した図である。
【図６】論理ページの４ページを用紙の１ページに割り付ける４アップ印刷を行う場合の潜像画像の一例を示した図である。
【図７】文字潜像に対して物理ページ毎に異なるコマンドが設定される場合の潜像画像の一例を示した図である。
【図８】第２コマンド処理部での模様潜像データに関するコマンドに対する処理の手順の一例を示したフローチャートである。
【図９】第３コマンド処理部での文字潜像データに関するコマンドに対する処理の手順の一例を示したフローチャートである。
【図１０】印刷ジョブ処理部のハードウェア構成を示した図である。
【図１１】プリンタドライバに備えられた複写牽制画像についての文書データへの合成を指示する機能部を説明する図である。
【図１２】画像形成装置の構成の一例を示したブロック図である。
【符号の説明】
【００５０】
１…画像形成システム、１０…端末装置、１４…プリンタドライバ、２０…画像形成装置、２２…印刷ジョブ処理部、１４１…模様潜像生成部、１４２…文字潜像生成部、１４３…合成部、１４４…印刷ジョブ生成部、１４５…潜像画像合成指示部、２２１…印刷ジョブ解析部、２２２…コマンド分離部、２２３…コマンド取得部、２２４…第１コマンド処理部、２２５…第２コマンド処理部、２２６…第３コマンド処理部、２２７…データ合成部、２２８…コマンド記憶部
【図１】
0005083009.tif 000002
【図２】
0005083009.tif 000003
【図３】
0005083009.tif 000004
【図４】
0005083009.tif 000005
【図５】
0005083009.tif 000006
【図６】
0005083009.tif 000007
【図７】
0005083009.tif 000008
【図８】
0005083009.tif 000009
【図９】
0005083009.tif 000010
【図１０】
0005083009.tif 000011
【図１１】
0005083009.tif 000012
【図１２】
0005083009.tif 000013